(57)【要約】【課題】土壌を荒らさずに，簡易な方法で確実に赤土等の表土の流出を防止できる方法を提供する。【解決手段】水道水や工業用水等の浄化時に生成される土を含有水分１％〜２％程度の粒状に成形して流出防止材を作成し、その後上記流出防止材を水が流れる場所に盛土して積み上げるか、あるいは土嚢袋に詰めて配置することにより堰を作り水をせき止めることにより表土の流下を防止する。また、上記流出防止材を水道水や工業用水等の浄化時に生成される土と、古紙再生工場より発生する土と、火力発電所より発生する石炭灰および産業廃棄物処理場のリサイクルチップを適宜の割合の混合物とした。【選択図】　　　　　　なし【特許請求の範囲】
【請求項１】
凝集剤を含有した土を主成分とする流出防止材を作成し、その後上記流出防止材を土壌の表面に所定の厚さ堆積することにより表土の流出を防止する表土流出防止方法。
【請求項２】
凝集剤を含有した土を主成分とする流出防止材を作成し、その後上記流出防止材を水が流れる場所に盛土して積み上げるか、あるいは土嚢袋に詰めて配置することにより堰を作り水をせき止めることにより表土の流出を防止する表土流出防止方法。
【請求項３】
上記流出防止材を、水道水や工業用水等の浄化時に生成される凝集剤を含有した土を含有水分１％〜１７％程度の粒状に成形して作成したことを特徴とする請求項１又は請求項２記載の表土流出防止方法。
【請求項４】
上記流出防止材を、水道水や工業用水等の浄化時に生成される凝集剤を含有した土と、古紙再生工場より発生する凝集剤を含有した土と、火力発電所より発生する石炭灰および産業廃棄物処理場のリサイクルチップ等を適宜の割合で混合し、この混合物を含有水分１％〜１７％程度の粒状に成形して作成したことを特徴とする請求項１又は請求項２記載の表土流出防止方法。
【発明の詳細な説明】
【０００１】
【発明の属する技術分野】
本発明は、工事現場・農地・土砂くずれ等から流出する赤土等の表土の流出を防止する方法である。
【０００２】
【従来の技術】
一般に、時間雨量３０ｍｍ程度の雨量になった場合、土壌の表面が雨に削られて土の粒子が細かくなって表土が流れ出すのである。または傾斜面などのように、水の流れる速度が速い場所では海まで赤土の粒子が流れ出てしまうために赤土の流出を防止する必要があった。
【０００３】
従来、赤土等の表土の流出を防止する方法としては、工事中発生したむき出しの土壌表面にボンドや乳剤を播いて土壌表面を覆う方法があった。
他の方法としては、降雨時に土壌表面をビニールシートで覆い土の流出を防いだり、降雨時に発生する赤土を含んだ水が海まで届く時間を遅くするために沈砂池を作ったり、あるいは石やコンクリート等で表土をせき止める堰を作り、赤土を含んだ水をせき止めて流出した赤土の粒子をそこで沈下させる方法があった。
【０００４】
【発明が解決しようとする課題】
このような従来の方法のうち、前者の土壌表面を乳剤等で覆う方法は土壌の表面を荒らしてしまうため好ましくなかった。
また、ビニールシートで覆う方法は広い面積では手間がかかり煩わしく、堰を作る方法では一定量の水が堰から流れ出ているうちは赤土の流出防止に効果的であるが、ある程度以上の雨量を超えた場合は堰から雨水と共に赤土が溢れ出し表土流出防止の効果がなくなってしまうのである。
本発明はこのような従来例の問題点を解決するためになされたものである。
【０００５】
【課題を解決するための手段】
上記問題を解決するために、本発明の要旨とするところは、凝集剤を含有した土を主成分とする流出防止材を作成し、その後上記流出防止材を土壌の表面に所定の厚さ堆積することにより表土の流出を防止することにある。
また、本発明の要旨とするところは、凝集剤を含有した土を主成分とする流出防止材を作成し、その後上記流出防止材を水が流れる場所に盛土して積み上げるか、あるいは土嚢袋に詰めて配置することにより堰を作り水をせき止めることにより表土の流出を防止することにある。
また、本発明の要旨とするところは、上記流出防止材を、水道水や工業用水等の浄化時に生成される凝集剤を含有した土を含有水分１％〜１７％程度の粒状に成形して作成したことにある。
また、本発明の要旨とするところは、上記流出防止材を、水道水や工業用水等の浄化時に生成される凝集剤を含有した土と、古紙再生工場より発生する凝集剤を含有した土と、火力発電所より発生する石炭灰および産業廃棄物処理場のリサイクルチップ等を適宜の割合で混合し、この混合物を含有水分１％〜１７％程度の粒状に成形して作成したことにある。
【０００６】
【発明の実施の形態】
次に本発明の一実施形態を説明する。
水道水や工業用水等を浄化すると、浄化時に汚泥又はケーキといわれる凝集剤を含有した土が発生するが、本実施形態では、この土を利用するものである。これ以外にも凝集剤を含有した土であれば、他の土も使用できる。例えば、ダム工事現場からも土が出るが、この土に凝集剤を加えて利用することもできる。
【０００７】
また、凝集剤とは公知の化学剤であり、浄水する過程で原水に浮遊している土の微粒子を固めてフロック状にして沈下させて土を固める作用をするものであり、のり剤、凝固剤とも呼ばれる。
この凝集剤によって本実施形態の土は固められているから、粒状に成形しても安定し、かつ水に対して溶け出して元の土に戻ることはないのである。
【０００８】
本実施形態によれば、水道や工業用水等の浄化時に浄水場より発生した土を、含有水分１％〜１７％位まで、好ましくは１％〜２％程度に調整して粒状に成形する。この粒の大きさは直径０〜４０ｍｍ程度であり、土の全体量に対して０〜１０ｍｍの粒が１０％以下となるようにする。
その粒状に成形した土をそのままの状態で以下に示す本実施形態の流出防止材として利用するのである。
【０００９】
また流出防止材の他の実施形態としては、透水性を良くするために次の材料を混合するとさらに良好な結果が得られる。利用する材料と混合割合は次の通りである。
（１）水道水や工業用水等の浄水場より発生する凝集剤を含有した土を５０％
（２）古紙再生工場より発生する凝集剤を含有した土を１０％
（３）火力発電所より発生する石炭灰を２０％
（４）産業廃棄物処理場のリサイクルチップを２０％
上記の材料の混合割合は例示であり、状況によって変化させることができる。
【００１０】
以上のように構成された流出防止材を、赤土が露出している場所に２ｃｍ〜４ｃｍ位に散布する事により赤土の流出を防止することが出来る。
これは本実施形態の流出防止材を客土として利用する場合であり、例えば、畑や公園などの広い地域をそのままの状態で表面に土を被せる場合である。
上記の乳剤などを撒くと、将来当該地域に芝や木を植えることはできなくなるが、この方法によれば土壌があらされないため芝や木を植えることができる。
【００１１】
また、土木工事の場合などには土を掘り返したりするため、上記のように一定地域に土を撒くことはできない。そのため、流出防止材を土嚢袋に詰めて水が流れると予測される場所に配置するか、または流出防止材を盛土のようにして積み上げて堰を作れば良い。
また、水の流れる速度が早いと予測出来る場所では、盛土した流出防止材が水で流されないように複数本の杭を立てて、その間にネットを張って防止材を囲う必要がある。
【００１２】
上記のようにして作られた表土流出防止用堰は、降雨時、雨水と共に表土が流れてきた場合、従来の堰の様に雨水を止めるのではなく、盛土した土が粒状であるためこの粒状の土の隙間から雨水をしみ出すようにして流すのである。
このようにすれば、雨水の流れる速度が上記の堰によって遅くなり雨水と共に流れて来た赤土の粒子が、堰によってせき止められた場所に沈下してしまう。そのため沈砂池を作らなくても本実施形態の堰を数多く作ることにより雨水による表土流出を防止することが出来るのである。
【００１３】
せき止め作業が完了し堰が不要となった場合には、上記盛土に利用した流出防止材を園芸用土として利用することにより処分することができるため、産業廃棄物とならず再利用できるのである。
さらには、堰を作った場所が作業後、多目的広場や緑地等に利用する場合でも、上記流出防止材を利用することができるのである。
【００１４】
【発明の効果】
本発明は、一定地域の土地の表面に一定厚さ撒くことで、当該地域の赤土等の表土の流出を防止でき、更に当該地域の将来の土地の有効利用も妨げない。
また、表土を含有する雨水などを簡易な方法でせき止めて、無理なく表土だけの流下を防止して表土を得ることができる。そのため、土壌を荒らすことがなく、同時にせき止め工事も簡単、迅速に行える。
さらに、流出防止材としては、水道水や工業用水等の浄化時に生成される土等の廃棄物を主体としたものを利用するものであるため、資源の再利用、省エネルギーの効果も有する。
【手続補正書】
【提出日】平成14年7月19日(2002.7.19)
【手続補正１】
【補正対象書類名】明細書
【補正対象項目名】０００８
【補正方法】変更
【補正の内容】
【０００８】
本実施形態によれば、水道や工業用水等の浄化時に浄水場より発生した土を、含有水分１％〜１７％位まで、好ましくは１％〜２％程度に調整して粒状に成形する。この粒の大きさは直径０〜４０ｍｍ程度であり、土の全体量に対して０〜１ｍｍの粒が１０％以下となるようにする。
その粒状に成形した土をそのままの状態で以下に示す本実施形態の流出防止材として利用するのである。